(57)【要約】【課題】  吊下ベルトに刈払機を吊り下げた状態のまま、刈払機を所望の吊り下げ高さに容易に調節してその高さで固定することのできる刈払機用高さ調節装置を提供する。【解決手段】  刈払機用高さ調節装置１０を、吊下ベルト３０を連結するためのベルト連結部１１ｆを有するベルト側部材１１と、刈払機２０を連結するための刈払機連結部１２ｅを有する刈払機側部材と、一端側がベルト側部材１１に固定されて他端側が刈払機側部材１２に固定されたベローズ部材１３と、ベローズ部材１３の内部に流体を供給又はベローズ部材１３の内部から流体を排出する操作を行うことによりベローズ部材１３を伸縮させるベローズ操作手段１４とを備えたものとし、ベローズ操作手段１４を操作してベローズ部材１３を伸縮させ、ベルト側部材１１に対する刈払機側部材１２の位置を変化させることで、吊下ベルト３０に対する刈払機２０の高さを調節することができるようにした。【選択図】  図３
2018161110.tif 000002
【特許請求の範囲】
【請求項１】
刈払機と当該刈払機を操作者の身体から吊り下げるための吊下ベルトとの間に介在される刈払機用高さ調節装置であって、
吊下ベルトを連結するためのベルト連結部を有するベルト側部材と、
刈払機を連結するための刈払機連結部を有する刈払機側部材と、
一端側がベルト側部材に固定されて他端側が刈払機側部材に固定されたベローズ部材と、
ベローズ部材の内部に流体を供給又はベローズ部材の内部から流体を排出する操作を行うことにより、ベローズ部材を伸縮させるベローズ操作手段と、
を備え、
ベローズ操作手段を操作してベローズ部材を伸縮させ、ベルト側部材に対する刈払機側部材の位置を変化させることで、吊下ベルトに対する刈払機の高さを調節することができるようにした
ことを特徴とする刈払機用高さ調節装置。
【請求項２】
ベルト側部材が、
略水平に配された底板部と、
その底板部の両端から上方に起立した一対の側板部と、
を有し、
ベルト連結部が、ベルト側部材における一対の側板部のそれぞれにおける上部に設けられた
ものとされる一方、
刈払機側部材が、
ベルト側部材における一対の側板部の隙間で上下動可能な状態で略水平に配された可動板部と、
その可動板部から下向きに設けられた下側軸部と、
を有し、
刈払機連結部が、刈払機側部材の下側軸部の下部に設けられた
ものとされるとともに、
ベローズ部材の上端部が、刈払機側部材における可動板部の下面に固定され、
ベローズ部材の下端部が、ベルト側部材における底板部の上面に固定された
請求項１記載の刈払機用高さ調節装置。
【請求項３】
ベルト側部材が、
前記一対の側板部の上端部間に配された上板部と、
その上板部の上面側に固定された第一握り部と、
をさらに有するものとされる一方、
刈払機側部材が、
可動板部から上向きに設けられた上側軸部と、
その上側軸部の上部に設けられた第二握り部と、
をさらに有するものとされるとともに、
ベローズ操作手段が、ベローズ部材の内部の空気を排出するための空気抜き部を有するエアポンプとされ、
第一握り部と第二握り部とを手で掴んで刈払機を所望の高さに設定し、エアポンプの空気抜き部を閉めてエアポンプでベローズ部材の内部に空気を供給することにより、刈払機をその高さで固定できるようにした
請求項２記載の刈払機用高さ調節装置。
【発明の詳細な説明】
【技術分野】
【０００１】
本発明は、操作者の身体から吊下ベルトによって吊り下げた状態で使用される刈払機の高さを調節するための刈払機用高さ調節装置に関する。
【背景技術】
【０００２】
刈払機としては、柄（メインパイプ）の下端に刈刃が設けられ、そのメインパイプの上端側にハンドルが設けられた手持ち式のものが知られている。この種の刈払機は、肩掛ベルト等の吊下ベルトにより、操作者の身体から吊り下げられた状態で使用される。しかし、この種の刈払機を用いた刈払作業は、地面の傾斜等に応じて、刈払機を高く持ち上げたり、逆に腰を落として刈払機を低い位置にしたりする必要があり、肉体的な負担が大きかった。このような実状に鑑みてか、これまでには、刈払機を吊り下げる吊下ベルトにラチェット機構や伸縮機構を組み込むことにより、刈払機を吊り下げる高さを調節できるようにすることも行われている。
【０００３】
例えば、特許文献１には、同文献の図１に示されるように、巻取り作業レバー１０や開放レバー１１を操作することによって、刈払機を吊り下げる高さを調節することができるようにした刈払機用肩掛バンドが記載されている。特許文献１には、巻取り作業レバー１０や開放レバー１１の操作は、刈払作業の途中でも片手で行うことができる旨も記載されている。
【０００４】
また、特許文献２には、同文献の図５に示されるように、刈払機２１を吊り下げる吊具７の上側に伸縮体３を設けた刈払機用の肩掛けベルト１が記載されている。特許文献２には、伸縮体３として、ゴムや金属製バネ等の弾性素材を用いること（同文献の段落００２８を参照。）や、伸縮体３により、刈払機を持ち上げる際の力を少なくできる旨（同文献の段落００１４を参照。）も記載されている。
【先行技術文献】
【特許文献】
【０００５】
【特許文献１】実登第３１５１６４１号公報
【特許文献２】特開２０１１−１６０７１７号公報
【発明の概要】
【発明が解決しようとする課題】
【０００６】
しかし、特許文献１の刈払機用肩掛バンドは、ラチェット機構を採用したものであるため、巻取り作業レバー１０を操作するためには、ある程度大きな力を加える必要があると考えられる。このため、特許文献１の刈払機用肩掛バンドは、必ずしも、刈払機を吊り下げた状態（刈払機の重量がラチェット機構に加えられたまたの状態）において容易に操作できるものとは言えなかった。加えて、特許文献１の刈払機用肩掛バンドは、刈払機の振動が操作者の身体に伝わりやすい構造となっており、刈払機の操作者が肉体的疲労を感じやすいという欠点も有している。
【０００７】
これに対し、特許文献２の刈払機用の肩掛けベルトは、刈払機の振動を伸縮体３によって吸収し得るものとなっている。しかし、特許文献２の刈払機用の肩掛けベルトは、伸縮体３（弾性素材）が弾性的に伸縮するだけのものであり、刈払機を所望の高さで固定できるものとはなっていなかった。このため、特許文献２の刈払機用の肩掛けベルトでは、刈払機を低い位置にしようとした際に、伸縮体３の弾性力に抗って刈払機を押し下げる必要がある等、必ずしも、刈払機の操作者の肉体的疲労を軽減することはできなかった。
【０００８】
本発明は、上記課題を解決するために為されたものであり、吊下ベルトに刈払機を吊り下げた状態のまま、刈払機を所望の吊り下げ高さに容易に調節してその高さで固定することのできる刈払機用高さ調節装置を提供するものである。また、刈払機の振動が操作者の身体に伝わりにくくすることができる刈払機用高さ調節装置を提供することも本発明の目的である。
【課題を解決するための手段】
【０００９】
上記課題は、
刈払機と当該刈払機を操作者の身体から吊り下げるための吊下ベルトとの間に介在される刈払機用高さ調節装置であって、
吊下ベルトを連結するためのベルト連結部を有するベルト側部材と、
刈払機を連結するための刈払機連結部を有する刈払機側部材と、
一端側がベルト側部材に固定されて他端側が刈払機側部材に固定されたベローズ部材と、
ベローズ部材の内部に流体を供給又はベローズ部材の内部から流体を排出する操作を行うことにより、ベローズ部材を伸縮させるベローズ操作手段と、
を備え、
ベローズ操作手段を操作してベローズ部材を伸縮させ、ベルト側部材に対する刈払機側部材の位置を変化させることで、吊下ベルトに対する刈払機の高さを調節することができるようにした
ことを特徴とする刈払機用高さ調節装置
を提供することによって解決される。
【００１０】
本発明の刈払機用高さ調節装置は、上記のように、ベローズ部材の内部圧力を変化させることにより、ベローズ部材を伸縮させるものとなっている。このため、刈払機を吊り下げる高さを僅かな操作力で（ベローズ操作手段に大きな力を加えなくても）変化させることができる。したがって、本発明の刈払機用高さ調節装置を使用すると、吊下ベルトに刈払機を吊り下げた状態のまま、刈払機を所望の吊り下げ高さに容易に調節することが可能である。
【００１１】
また、本発明の刈払機用高さ調節装置は、ベローズ部材の内部圧力の変化を拘束（ベローズ部材の伸縮を拘束）することにより、刈払機を所望の吊り下げ高さで固定することができるものとなっている。このため、操作者は、地面の傾斜等に応じて刈払機の吊り下げ高さを調節した後は、略一定の姿勢で刈払作業を行うことができる。加えて、刈払機の振動をベローズ部材で吸収することができるようになっている。よって、本発明の刈払機用高さ調節装置を使用すると、刈払作業中に刈払機を押し込んだり持ち上げたりする必要が特にないばかりか、刈払機の振動が操作者の身体に伝わることを防止できるため、操作者の肉体的疲労を軽減することも可能になる。
【００１２】
本発明の刈払機用高さ調節装置において、ベルト側部材や刈払機側部材の具体的な構造は、特に限定されない。刈払機の吊り下げ高さは、ベローズ部材が伸長したときに高くなり、ベローズ部材が短縮したときに低くなるようにしてもよいし、ベローズ部材が伸長したときに低くなり、ベローズ部材が短縮したときに高くなるようにしてもよい。
【００１３】
しかし、ベローズ部材は、それが収縮する際の力（収縮力）よりもそれが伸長する際の力（伸長力）の方が大きく確保しやすいところ、後者の場合（ベローズ部材が伸長したときに刈払機が低くなり、ベローズ部材が短縮したときに刈払機が高くなるようにした場合）には、ベローズ部材の収縮力が刈払機の上昇力として作用するようになるため、刈払機の重量に抗って刈払機を上昇させにくくなるという問題がある。
【００１４】
このため、刈払機の吊り下げ高さは、ベローズ部材が伸長したときに高くなり、ベローズ部材が短縮したときに低くなるようにすると好ましい。これにより、ベローズ部材の伸長力が刈払機の上昇力として作用するようにして、刈払機を上昇させやすくすることが可能になる。このような態様の動作は、例えば、以下の構成を採用することによって実現することができる。
【００１５】
すなわち、
ベルト側部材を、
略水平に配された底板部と、
その底板部の両端から上方に起立した一対の側板部と、
を有し、
ベルト連結部が、ベルト側部材における一対の側板部のそれぞれにおける上部に設けられた
ものとする一方、
刈払機側部材を、
ベルト側部材における一対の側板部の隙間で上下動可能な状態で略水平に配された可動板部と、
その可動板部から下向きに設けられた下側軸部と、
を有し、
刈払機連結部が、刈払機側部材の下側軸部の下部に設けられた
ものとするとともに、
ベローズ部材の上端部を、刈払機側部材における可動板部の下面に固定し、
ベローズ部材の下端部を、ベルト側部材における底板部の上面に固定する
構成である。
【００１６】
このときには、
ベルト側部材を、
前記一対の側板部の上端部間に配された上板部と、
その上板部の上面側に固定された第一握り部と、
をさらに有するものとする一方、
刈払機側部材を、
可動板部から上向きに設けられた上側軸部と、
その上側軸部の上部に設けられた第二握り部と、
をさらに有するものとするとともに、
ベローズ操作手段を、ベローズ部材の内部の空気を排出するための空気抜き部を有するエアポンプとする
ことも好ましい。
【００１７】
これにより、第一握り部と第二握り部とを手で掴んで刈払機を所望の高さに設定し、エアポンプの空気抜き部を閉めてエアポンプでベローズ部材の内部に空気を供給することによって、刈払機をその高さで固定することが可能になる。
【発明の効果】
【００１８】
以上のように、本発明によって、吊下ベルトに刈払機を吊り下げた状態のまま、刈払機を所望の吊り下げ高さに容易に調節してその高さで固定することのできる刈払機用高さ調節装置を提供することが可能になる。また、刈払機の振動が操作者の身体に伝わりにくくすることができる刈払機用高さ調節装置を提供することも可能になる。
【図面の簡単な説明】
【００１９】
【図１】本発明に係る刈払機用高さ調節装置から吊り下げた刈払機で水平面の刈払を行っている様子を示した図である。
【図２】本発明に係る刈払機用高さ調節装置から吊り下げた刈払機で傾斜面の刈払を行っている様子を示した図である。
【図３】本発明に係る刈払機用高さ調節装置を正面から見た状態を示した図である。
【図４】本発明に係る刈払機用高さ調節装置を側方から見た状態を示した図である。
【図５】本発明に係る刈払機用高さ調節装置におけるベローズ操作手段の例を示した図である。
【発明を実施するための形態】
【００２０】
本発明に係る刈払機用高さ調節装置の好適な実施態様について、図面を用いてより具体的に説明する。図１は、本発明に係る刈払機用高さ調節装置１０から吊り下げた刈払機２０で水平面の刈払を行っている様子を示した図である。図２は、本発明に係る刈払機用高さ調節装置１０から吊り下げた刈払機２０で傾斜面の刈払を行っている様子を示した図である。
【００２１】
本発明の刈払機用高さ調節装置１０は、図１及び図２に示すように、刈払機２０と、刈払機２０を操作者５０の身体から吊り下げるための吊下ベルト３０との間に介在させて用いるものとなっている。本実施態様の刈払機用高さ調節装置１０において、吊下ベルト３０は、操作者５０の肩に掛けることが可能なループ状の肩掛ベルトとなっており、刈払機は、棒状のメインパイプ２１と、メインパイプ２１の下端部に設けられた刈刃２２と、メインパイプ２１の上端部に設けられた刈刃駆動手段２３と、メインパイプ２１における中間部よりも上端寄りに設けられたハンドル２４とで構成されたものとなっているところ、刈払機用高さ調節装置１０は、この肩掛ベルト３０の下端部と、刈払機２０のメインパイプ２１におけるハンドル２４よりもやや上端寄りの箇所に取り付けられた取付部材２５（ベルトやチェーン等）との間に取り付けられるものとなっている。
【００２２】
この刈払機用高さ調節装置１０は、図１及び図２に示すように、刈払を行う地面の傾斜等に応じて、吊下ベルト３０に対する刈払機２０の高さ（刈払機２０の吊り下げ高さ）を調節することができるものとなっている。刈払機２０は、その刈刃２２が刈払を行う地面に対して略平行となっている方が草を刈りやすいにもかかわらず、一般的な刈払機２０は、刈刃２２に対するメインパイプ２１の傾斜角度θが一定となっていることが多い。このため、地面が傾斜等している場合には、操作者５０が刈払機２０を持ち上げて刈払機２０の位置を高くしたり、操作者５０が腰を落として刈払機２０の位置を低くしたりしなければ、草を刈りにくい状況が生じ、操作者５０の肉体的な負担が大きいところ、本実施態様の刈払機用高さ調節装置１０を用いると、そのような肉体的な負担を伴うことなく、刈刃２２を地面に対して略平行とすることが可能になる。
【００２３】
図３は、本発明に係る刈払機用高さ調節装置１０を正面から見た状態を示した図である。図４は、本発明に係る刈払機用高さ調節装置２０を側方から見た状態を示した図である。図５は、本発明に係る刈払機用高さ調節装置２０におけるベローズ操作手段１４の例を示した図である。
【００２４】
本実施態様の刈払機用高さ調節装置１０は、図３に示すように、吊下ベルト３０を連結するためのベルト連結部１１ｆを有するベルト側部材１１と、刈払機２０（厳密には、図１における取付部材２５）を連結するための刈払機連結部１２ｅを有する刈払機側部材１２と、一端側がベルト側部材１１に固定されて他端側が刈払機側部材１２に固定されたベローズ部材１３と、ベローズ部材１３を操作するためのベローズ操作手段１４とを備えたものとなっている。以下、これらの各部材について説明する。
【００２５】
［ベルト側部材］
ベルト側部材１１は、図３に示すように、略水平に配された底板部１１ａと、底板部１１ａの両端から上方に起立した一対の側板部１１ｂ，１１ｃと、一対の側板部１１ｂ，１１ｃの上端部間に配された上板部１１ｄとを有する正面視「ロ」の字状の部材となっており、上板部１１ｄの上面側には、第一握り部１１ｅが固定されている。また、ベルト側部材１１における底板部１１ａには、貫通孔１１ａ１が設けられており、上板部１１ｄには、貫通孔１１ｄ１が設けられている。上述したベルト連結部１１ｆは、このベルト側部材１１における一対の側板部１１ｂ，１１ｃのそれぞれの上部に設けられている。
【００２６】
［刈払機側部材］
刈払機側部材１２は、図３に示すように、ベルト側部材１２における一対の側板部１１ｂ，１１ｃの隙間で上下動可能な状態で略水平に配された可動板部１２ａと、可動板部１２ａの下面中央部から下向きに設けられた下側軸部１２ｂと、可動板部１２ａの上面中央部から上向きに設けられた上側軸部１２ｃと、上側軸部１２ｃの上部に設けられた第二握り部１２ｄとを有する部材となっている。下側軸部１２ｂは、ベルト側部材１１の底板部１１ａに設けられた貫通孔１１ａ１に対して上下動可能な状態で挿通されており、上側軸部１２ｃは、ベルト側部材１１の上板部１１ｄに設けられた貫通孔１１ｄ１に対して上下動可能な状態で挿通されている。下側軸部１２ｂと上側軸部１２ｃは、別体からなる軸部材により構成してもよいが、本実施態様の刈払機用高さ調節装置１０においては、下側軸部１２ｂと上側軸部１２ｃとを共通の軸部材により構成している。下側軸部１２ｂ及び上側軸部１２ｃは、可動板部１２ａに対して溶接等により一体化されており、可動板部１２ａが上下動すると、下側軸部１２ｂ及び上側軸部１２ｃも上下動するようになっている。上述した刈払機連結部１２ｅは、この刈払機側部材１２における下側軸部１２ｂの下部に設けられている。
【００２７】
本実施態様の刈払機用高さ調節装置１０において、刈払機連結部１２ｅは、図４に示すように、下側軸部１２ｂの下端部に逆「Ｌ」字状に設けられた連結部本体１２ｅ１と、連結部本体１２ｅ１の下端部に対して回動可能な状態で軸支された回動片１２ｅ２と、連結部本体１２ｅ１の上部に取り付けられた閉塞片１２ｅ３と、閉塞片１２ｅ３を連結部本体１２ｅ１側に付勢する閉塞片付勢部材１２ｅ４とで構成している。この刈払機連結部１２ｅは、連結部本体１２ｅ１と回動片１２ｅ２と閉塞片１２ｅ３とで囲まれた部分に取付部材２５（図１）の上端部に形成したループ部を通すことで、取付部材２５を連結する構造のものとなっている。刈払機連結部１２ｅに対する取付部材２５の連結又は刈払機連結部１２ｅからの取付部材２５の取り外しは、閉塞片付勢部材１２ｅ４の付勢力に抗って閉塞片１２ｅ３を連結部本体１２ｅ１から離反する方向に移動させることにより行うようになっている。刈払機連結部１２ｅを斯様な構造とすることによって、刈払機用高さ調節装置１０に対して刈払機２０を簡単な操作で着脱することが可能となっている。
【００２８】
［ベローズ部材］
ベローズ部材１３は、内部が中空な蛇腹状の部材となっており、その内部に流体を供給してその内部圧力を上昇させると上下方向に伸長し、その内部から流体を排出してその内部圧力を低下させると上下方向に短縮するものとなっている。ベローズ部材１３は、それが伸長したときに刈払機２０が下降し、それが短縮したときに刈払機２０が上昇する状態に設けてもよいが、既に述べた理由により、ベローズ部材１３は、それが伸長したときに刈払機２０が上昇し、それが短縮したときに刈払機２０が下降する状態に設けると好ましい。本実施態様の刈払機用高さ調節装置１０においても、そのようにベローズ部材１３を設けている。
【００２９】
具体的には、ベローズ部材１３を、図３に示すように、ベルト側部材１１の底板部１１ａの上面と、刈払機側部材１２の可動板部１２ａの下面との間に配し、ベローズ部材１３の下端部を底板部１１ａに固定し、ベローズ部材１３の上端部を可動板部１２ａに固定している。このため、ベローズ部材１３が伸長すると、ベローズ部材１３によって可動板部１２ａが押し上げられて、刈払機連結部１２ｅも上昇する一方、ベローズ部材１３が短縮すると、可動板部１２ａが下降して、刈払機連結部１２ｅも下降するようになっている。これにより、刈払機２０の上昇力を大きく確保することが可能となっている。
【００３０】
ベローズ部材１３は、１つのみ設けてもよいが、複数のベローズ部材１３を並列に設けると、可動板部１２ａの上昇力、すなわち刈払機２０の上昇力をより大きくすることが可能になる。本実施態様の刈払機用高さ調節装置１０においても、図３に示すように、刈払機側部材１２における下側軸部１２ｂを挟んだ両側に、ベローズ部材１３を１つずつ計２箇所に設けている。ベローズ部材１３には、ベローズ部材１３の内部に流体を供給又はベローズ部材１３の内部から流体を排出するためのチューブ１４ａが接続されている。
【００３１】
［ベローズ操作手段］
ベローズ操作手段１４は、ベローズ部材１３の内部に流体を供給又はベローズ部材１３の内部から流体を排出する操作を行うことにより、ベローズ部材１３を伸縮させるためのものとなっている。ベローズ部材１３の内部に供給等する流体（作動流体）は、水等の液体としてもよいが、通常、気体とされる。刈払機用高さ調節装置１０の周辺には、空気が存在するため、この空気を、ベローズ部材１３の作動流体として好適に利用することができる。本実施態様の刈払機用高さ調節装置１０においても、刈払機用高さ調節装置１０の周辺にある空気を、ベローズ部材１３の作動流体として用いるようにしている。
【００３２】
このベローズ操作手段１４は、ベローズ部材１３への流体の供給等を人力により行う手動式のものとしてもよいし、ベローズ部材１３への流体の供給等を電力により行う電動式のものとしてもよい。図５は、刈払機用高さ調節装置１０におけるベローズ操作手段１４の例を示した図であり、図５（ａ）は手動式のベローズ操作手段１４を、図５（ｂ）は電動式のベローズ操作手段１４を示している。
【００３３】
［手動式のベローズ操作手段］
まず、手動式のベローズ操作手段１４について説明する。図５（ａ）に示す手動式のベローズ操作手段１４は、ベローズ部材１４（図３）と空気（流体）の遣り取りを行うチューブ１４ａと、チューブ１４ａに空気（流体）を圧送する手動式エアポンプ１４ｂとを備えたものとなっている。手動式エアポンプ１４ｂは、ゴム等の弾性素材で形成されたバルーン状の部材となっており、操作者が手で握ると、空気をチューブ１４ａに圧送するものとなっている。
【００３４】
手動式エアポンプ１４ｂの下部には、ベローズ部材１４の内部の空気を排出するための空気抜き部１４ｃが設けられている。このため、空気抜き部１４ｃを開いた状態で、刈払機２０の字銃で下げるか又は作業状態により、上記の第一握り部１１ｅ（図３）と第二握り部１２ｄ（図３）とを手で掴んで刈払機２０（図１）を所望の高さに設定した後、空気抜き部１４ｃを閉めて手動式エアポンプ１４ｂを操作してベローズ部材１４の内部に空気を供給することにより、刈払機２０をその高さで固定することが可能となっている。
【００３５】
本実施態様の刈払機用高さ調節装置１０において、手動式エアポンプ１４ｂは、図３に示すように、刈払機用高さ調節装置１０の本体部の側面に取り付けられたホルダ１４ｄに装着された状態となっている。ただし、このホルダ１４ｄは、刈払機用高さ調節装置１０の本体部から取り外し可能となっていることに加えて、図５に示すように、ホルダ１４ｄには、ハンドル取付部１４ｅを設けている。ハンドル取付部１４ｅは、その内部に刈払機２０（図１）のハンドル２４を挿入可能なように環状に形成されており、刈払機２０のハンドル２４に対して取り付けることが可能となっている。このため、刈払機２０の操作者は、ハンドル２４の付近でベローズ操作手段１４の手動式エアポンプ１４ｂを操作することができるようになっている。
【００３６】
［電動式のベローズ操作手段］
続いて、電動式のベローズ操作手段１４について説明する。図５（ｂ）に示す電動式のベローズ操作手段１４は、ベローズ部材１４（図３）と空気（流体）の遣り取りを行うチューブ１４ａと、チューブ１４ａに空気（流体）を圧送する電動式エアポンプ１４ｆと、電動式エアポンプ１４ｆを起動又は停止するためのスイッチ１４ｇとを備えたものとなっている。
【００３７】
電動式エアポンプ１４ｆは、小型のポンプと当該ポンプに電力を供給するための電源（通常、乾電池やバッテリー等）を内蔵したものとなっており、スイッチ１４ｇが「オン」になると、周囲の空気をチューブ１４ａに圧送するものとなっている。電動式エアポンプ１４ｆには、図５（ａ）の手動式エアポンプ１４ｂにおける空気抜き部１４ｃと同様の空気抜き部（図示省略）も設けられている。本実施態様の刈払機用高さ調節装置１０において、電動式エアポンプ１４ｆとスイッチ１４ｇは、電気ケーブル１４ｈによって電気的に接続しているが、この電気ケーブル１４ｈは、赤外線等の無線装置で置き換えることもできる。
【００３８】
本実施態様の刈払機用高さ調節装置１０において、電動式エアポンプ１４ｆは、上記の手動式エアポンプ１４ｂと同様、刈払機用高さ調節装置１０の本体部の側面に取り付けられたホルダ１４ｄに装着された状態となっている。ただし、スイッチ１４ｇは、電動式エアポンプ１４ｆの本体部に対して動かすことができることに加えて、スイッチ１４ｇには、ハンドル取り付け部１４ｉを設けている。ハンドル取付部１４ｉは、その内部に刈払機２０（図１）のハンドル２４を挿入可能なように環状に形成されており、刈払機２０のハンドル２４に対して取り付けることが可能となっている。このため、刈払機２０の操作者は、ハンドル２４の付近でベローズ操作手段１４の電動式エアポンプ１４ｆを操作することができるようになっている。
【符号の説明】
【００３９】
１０      刈払機用高さ調節装置
１１      ベルト側部材
１１ａ    底板部
１１ａ１  貫通孔
１１ｂ    側板部
１１ｃ    側板部
１１ｄ    上板部
１１ｄ１  貫通孔
１１ｅ    第一握り部
１１ｆ    ベルト連結部
１２      刈払機側部材
１２ａ    可動板部
１２ｂ    下側軸部
１２ｃ    上側軸部
１２ｄ    第二握り部
１２ｅ    刈払機連結部
１２ｅ１  連結部本体
１２ｅ２  回動片
１２ｅ３  閉塞片
１２ｅ４  閉塞片付勢部材
１３      ベローズ部材
１４      ベローズ操作手段
１４ａ    チューブ
１４ｂ    手動式エアポンプ
１４ｃ    空気抜き部
１４ｄ    ホルダ
１４ｅ    ハンドル取付部
１４ｆ    電動式エアポンプ
１４ｇ    スイッチ
１４ｈ    電気ケーブル
１４ｉ    ハンドル取付部
２０      刈払機
２１      メインパイプ
２２      刈刃
２３      刈刃駆動手段
２４      ハンドル
２５      取付部材
３０      肩掛ベルト（吊下ベルト）
５０      操作者
θ      刈刃に対するメインパイプの傾斜角度
【図１】
2018161110.tif 000003
【図２】
2018161110.tif 000004
【図３】
2018161110.tif 000005
【図４】
2018161110.tif 000006
【図５】
2018161110.tif 000007